(57)【要約】【課題】カッター刃の使用頻度が多い尖端刃以外の刃部を使って、はさみ圧切りできる機能と、従来のカッターナイフの機能を併せ持つ切断道具を提供する。【解決手段】刃ホルダー４を被う握体１にピン孔２を設け、レバーピン１０で装着のレバー８を設け、そのレバー８にバネ９、圧切り部１１、下端部１２を設け、圧切り部１１はカッター刃１９の複数の刃片２０の刃部２１の尖端刃２２部分に接圧しないように設ける。握体１にスライド可能なセレクター孔３を設け、セレクターピン１４で装着のセレクター１３を設け、そのセレクター１３に上端部１５を設ける。カッター刃１９を覆う刃ホルダー４には刃片２０と同ピッチの複数の凹部７と、刃ホルダー４の刃側部５に刃露出部６を設ける。カッター刃１９を取り替える刃替凸部１７とロックバネ１８を備えたスライド１６を有する。以上の構成よりなるはさみ圧切り機能を設ける。【選択図】図１
2005185801.tif 000002
【特許請求の範囲】
【請求項１】
刃ホルダー（４）を被い固定した握体（１）にレバーピン（１０）で装着のレバー（８）を設け、そのレバー（８）に圧切り部（１１）を設け、カッター刃（１９）をスライド可動にホールドしている刃ホルダー（４）の刃側部（５）に刃露出部（６）を設け、その刃露出部（６）に露出するカッター刃（１９）の刃部（２１）と、レバー（８）の圧切り部（１１）とで、はさみ圧切りできるカッターナイフ。
【請求項２】
カッター刃（１９）の複数の刃片（２０）の刃部（２１）の先端部分の尖端刃（２２）を除く刃部（２１）のみに接圧するように、レバー（８）の圧切り部（１１）を設けている請求項１記載のカッターナイフ。
【請求項３】
レバー（８）にバネ（９）の設置と、下端部（１２）を設け、握体（１）にセレクターピン（１４）でスライド可動するセレクター（１３）を設ける。レバー（８）の方向にセレクター（１３）を移動すると、レバー（８）の下端部（１２）とセレクター（１３）の上端部（１５）が接合し、レバー（８）がレバーピン（１０）を支点にして閉じる機構と、レバー（８）から離れる方向にセレクター（１３）を移動すると、レバー（８）の下端部（１２）とセレクター（１３）の上端部（１５）とに間隙が生まれ、レバー（８）のバネ（９）の抗力でレバー（８）がレバーピン（１０）を支点にして開く機構を可能に設けられている請求項１記載のカッターナイフ。
【発明の詳細な説明】
【技術分野】
【０００１】  本発明は、カッターナイフに装着のカッター刃を使って、はさみ圧切りできるカッターナイフに関するものである。
【背景技術】
【０００２】  従来、カッターナイフの用途はカッター刃の各刃片の尖端刃を使って物の切り離しに使い、装着のカッター刃の刃片を順次折り捨てることによって切れ具合を保持する切断道具のカッターナイフがあった。【特許文献１】特開平５−３０５１８７号公報
【発明の開示】
【発明が解決しようとする課題】
【０００３】  解決しようとする問題点は、次のような欠点があった。  カッターナイフの使われ方が、カッター刃の各刃片の尖端刃のみに集中するため、切れ具合が悪くなれば順次折り捨てられ、尖端刃以外の大部分の刃部が有用に使われず、これを有用に使える機能を持っていないという欠点があった。  本発明は、以上の問題点を解決し、あまり使われない部分の刃を有用に使って、はさみ圧切りできるようになされたものである。
【課題を解決するための手段】
【０００４】  刃ホルダー（４）を被う握体（１）にピン孔（２）を設け、レバーピン（１０）で装着のレバー（８）を設け、そのレバー（８）にバネ（９）、圧切り部（１１）、下端部（１２）を設け、圧切り部（１１）はカッター刃（１９）の複数の刃片（２０）の刃部（２１）の尖端刃（２２）部分に接圧しないように設ける。握体（１）にスライド可能なセレクター孔（３）を設け、セレクターピン（１４）で装着のセレクター（１３）を設け、そのセレクター（１３）に上端部（１５）を設ける。カッター刃（１９）を覆う刃ホルダー（４）には刃片（２０）と同ピッチの複数の凹部（７）と、刃ホルダー（４）の刃側部（５）に刃露出部（６）を設ける。ロックバネ（１８）とカッター刃（１９）を取り替える刃替凸部（１７）を備えたスライド（１６）を有する。  本発明は、以上の構成よりなるはさみ圧切り機構があるカッターナイフである。
【発明の効果】
【０００５】  本発明のはさみ圧切り機能を持つカッターナイフは、従来のカッターナイフの切れ具合の要となるカッター刃の各刃片の尖端刃をさけて、ほとんど使われず折り捨ててしまう刃部を使って紐などの切断、電線などの被覆の切り離しができるので、カッター刃の刃部全体を有用に利用することができる利点がある。
【発明を実施するための最良の形態】
【０００６】  主に、尖端刃を使用する従来のカッターナイフの機能に、はさみ圧切り機能を加えるという目的を、カッターナイフに装着のカッター刃の尖端刃部分以外の刃部を利用し、使用する刃部を分担させて、刃部全体を有用に使用するようにして実現した。
【実施例】
【０００７】  図１は、本発明の１実施例のはさみ圧切り使用時状態の正面図であって、図３は、同様の正面図の部分断面図である。図１、図３では、カッター刃が刃ホルダーから外へでているが、はさみ圧切り使用時においても、カッター刃は前端から順次使われるため、通常は、カッター刃は刃ホルダーから外へは出ない。又、図２は、本発明の１実施例の従来のカッターナイフ使用時状態の正面図であって、図４は、同様の正面図の部分断面図である。【０００８】  以下、本発明の実施の形態について説明する。（イ）プラスチックなどの材質からなる握体（１）にピン孔（２）を設け、金属などの材質のレバーピン（１０）で装着のプラスチックなどの材質のレバー（８）を設ける。（ロ）レバー（８）に一体で圧切り部（１１）、下端部（１２）を設け、バネ鋼などの材質のバネ（９）を設置している。（ハ）握体（１）にスライド移動可能なセレクター孔（３）を設け、金属などの材質のセレクターピン（１４）で装着のプラスチックなどの材質のセレクター（１３）を設け、そのセレクター（１３）に一体で上端部（１５）を設ける。（ニ）握体（１）に被われ固定されたステンレス鋼などの材質の刃ホルダー（４）があり、その刃ホルダー（４）に刃片（２０）のピッチと同ピッチの複数の凹部（７）と、刃側部（５）に刃露出部（６）を設ける。（ホ）刃ホルダー（４）にはめ込まれるプラスチックなどの材質のスライド（１６）を有し、そのスライド（１６）には一体の刃替凸部（１７）があり、バネ鋼などの材質のロックバネ（１８）を設置している。  本発明は以上の構造よりなる。【０００９】  本発明を使用する場合で、紐などを切断する時は、セレクター（１３）をレバー（８）から離れる方向に移動させると、レバー（８）の下端部（１２）とセレクター（１３）の上端部（１５）とに間隙ができ、バネ（９）の抗力でレバー（８）が開き、図１、図３の形態となる。そのレバー（８）をはさみ込み加圧することで、紐などの切断、電線などの被覆の切り離しができる状態となる。又、従来のカッターナイフとして使用する時は、セレクター（１３）をレバー（８）の方向へ移動させると、下端部（１２）と上端部（１５）が接合し、レバー（８）が閉じ、図２、図４の形態となり、従来のカッターナイフとして使用できる状態となる。
【図面の簡単な説明】
【００１０】
【図１】本発明のはさみ圧切り使用時状態の正面図である。
【図２】本発明の従来のカッターナイフとしての使用時の正面図である。
【図３】本発明のはさみ圧切り使用時状態の正面図部分断面図である。
【図４】本発明の従来のカッターナイフとしての使用時の正面図部分断面図である。
【図５】図２のＶ−Ｖ断面図である。
【図６】図２のＶＩ−ＶＩ断面図である。
【図７】図２のＶＩＩ−ＶＩＩ断面図である。
【図８】図２のＶＩＩＩ−ＶＩＩＩ断面図である。
【図９】図２のＩＸ−ＩＸ断面図である。
【符合の説明】
【００１１】  １  握体      ２  ピン孔      ３  セレクター孔      ４  刃ホルダー  ５  刃側部      ６  刃露出部      ７  凹部      ８  レバー      ９  バネ  １０  レバーピン      １１  圧切り部      １２  下端部      １３  セレクター  １４  セレクターピン      １５  上端部      １６  スライド      １７  刃替凸部  １８  ロックバネ      １９  カッター刃      ２０  刃片      ２１  刃部  ２２  尖端刃
【図１】
2005185801.tif 000003
【図２】
2005185801.tif 000004
【図３】
2005185801.tif 000005
【図４】
2005185801.tif 000006
【図５】
2005185801.tif 000007
【図６】
2005185801.tif 000008
【図７】
2005185801.tif 000009
【図８】
2005185801.tif 000010
【図９】
2005185801.tif 000011